(57)【特許請求の範囲】
【請求項１】
昇降可能なＸ線ＣＴ装置の寝台に用いられ、且つ、前記寝台の上面に沿って摺動可能に設けられ、且つ、天板の端部にヘッドレストを設ける医用機器用天板において、
被検体が上面に載置される前記天板の端部を傾斜面とすると共に、前記端部を円弧状に形成
し、前記天板の先端から中心に向けて体積が徐々に増加し、且つ、Ｘ線の吸収率を徐々に上げるようにしたことを特徴とする医用機器用天板。
【請求項２】
端部を円弧状に形成したヘッドレストを先端部に備えることを特徴とする請求項１記載の医用機器用天板。
【請求項３】
端部を円弧状に形成し、かつ、この端部を傾斜面としたヘッドレストを先端部に備えることを特徴とする請求項１記載の医用機器用天板。
【発明の詳細な説明】
【０００１】
【発明の属する技術分野】
本発明は、被検体が載置される医用機器用天板に関し、特に、アーチファクトの発生を減少させることができる医用機器用天板に関するものである。
【０００２】
【従来の技術】
近年、Ｘ線ＣＴ装置、ＭＲＩ装置、Ｘ線診断装置等の医用機器では、被検体を載置するために天板を有する寝台を用いている。このような寝台を図４に示す。
【０００３】
図４に示すように、寝台１００は、基準面に対し、昇降可能に設けられる寝台本体１１０と、寝台本体１１０の上面に沿って摺動可能に設けられ、被検体が載置される天板１２０とを有している。
【０００４】
この天板１２０の平面図を図５（ａ）、Ａ−Ａ断面図を図５（ｂ）に示す。図５（ｂ）に示すように、天板１２０は、板状の発泡ウレタン部１２１と、この発泡ウレタン部１２１の周囲に設けられるカーボン部１２３とから構成されている。
【０００５】
【発明が解決しようとする課題】
しかしながら、従来の天板は、作り易さの点で、直線、直角を多く用いた形状をしていた。このため、例えばＸ線ＣＴ装置にこの天板を用いた場合、図５（ａ）および（ｂ）に矢印で示す天板１２０の先端部でＸ線吸収率が０から急に数％に変化するため、図６（被検体頭部のＣＴ像）に示すようにＣＴ像上でホワイトニング等のアーチファクトが生じる。
【０００６】
また従来、図７に示すように、天板１２０の先端部にヘッドレスト１３０を備えるものも用いられているが、特にこの場合、被検体頭部から胸部に掛けて連続した断層像を取得する時、図７に矢印で示した天板１２０の先端部で上記と同様、ＣＴ像上でホワイトニング等のアーチファクトが生じる。
【０００７】
また、上記のアーチファクト発生を避けるために、図８に示すように、被検体を天板１２０の後端方向にずらして載置することも考えられるが、被検体の足部が天板から出る可能性が高く、実用的では無い。
【０００８】
本発明は、上記課題に鑑みてなされたもので、アーチファクトの発生を減少させることができる医用機器用天板を提供することを目的とする。
【０００９】
【課題を解決するための手段】
上記目的を達成するため請求項１記載の発明は、昇降可能なＸ線ＣＴ装置の寝台に用いられ、且つ、前記寝台の上面に沿って摺動可能に設けられ、且つ、天板の端部にヘッドレストを設ける医用機器用天板において、被検体が上面に載置される前記天板の端部を傾斜面とすると共に、前記端部を円弧状に形成し、前記天板の先端から中心に向けて体積が徐々に増加し、且つ、Ｘ線の吸収率を徐々に上げるようにしたことを特徴とする。
【００１５】
【発明の実施の形態】
以下、本発明に係る実施の形態を図面を参照して説明する。図１は、本発明に係る医用機器用天板の第１実施形態である天板を備える寝台を示した斜視図である。図１に示すように、第１実施形態の天板１０は、昇降可能に設けられる寝台本体２０の上面に沿って摺動可能に設けられている。
【００１６】
図２（ａ）は、第１実施形態の天板１０の平面図であり、図２（ｂ）はＡ−Ａ断面図、図２（ｃ）はＢ−Ｂ断面図である。
【００１７】
図２（ａ）に示すように、第１実施形態の天板１０は、先端部を円弧状に形成し、かつ、図２（ｃ）に示すように、この先端部を傾斜面とし、先端部のＸ線吸収率を徐々に上げるように形成している。
【００１８】
また、天板１０は、図２（ｂ）に示すように、断面弓状の発泡ウレタン部１１と、この発泡ウレタン部１１の周囲に設けられるカーボン部１３とから構成されている。
【００１９】
次に、第１実施形態の天板１０の作用を説明する。ここで、天板１０に載置される被検体の断層像を天板１０の先端側から後端側に順次取得するものとする。この場合、空間と天板１０との境界面で断層像を取得した場合、天板１０は略点で表示され、この境界から後端側に断層面をずらしていくにつれて、徐々に天板１０の面積が増え、天板１０の先端部である傾斜面部分と円弧部分を過ぎたところで天板１０は最大に表示される。
【００２０】
即ち、天板１０は、先端部から中心に向けて体積が徐々に増加していく。これにより、天板１０のＸ線吸収率も０から徐々に増加することとなる。このため、従来の天板を用いたときにＸ線吸収率が急に変化することにより生じるアーチファクトを減少させることができる。
【００２１】
このように、第１実施形態の天板１０では、先端部のＸ線吸収率を徐々に上げるようにしているので、Ｘ線吸収率の急な変化により生じるアーチファクトを減少させることができる。
【００２２】
尚、第１実施形態の天板１０では、先端部を円弧状に形成し、かつ、この先端部を傾斜面としているが、先端部に限らず、後端部や側面部を円弧状に形成し、かつ、この端部を傾斜面とするようにしても良い。
【００２３】
図３は、本発明に係る医用機器用天板の第２実施形態である天板を示した側面図である。尚、図３中、図２に示す第１実施形態の天板１０と同一部材には同一の符号を付して詳細な説明は省略した。また、ここではＸ線ＣＴ装置に用いられる天板を例にして説明する。
【００２４】
図３に示すように、第２実施形態の天板１０は、第１実施形態の天板１０と同一の天板１０の先端にヘッドレスト３０を備えたものである。
【００２５】
このヘッドレスト３０は、図２に示した第１実施形態の天板１０と同様、先端部を円弧状に形成し、かつ、この先端部を傾斜面とし、先端部のＸ線吸収率を徐々に上げるように形成している。
【００２６】
このため、天板１０の先端部とヘッドレスト３０の先端部でのＸ線吸収率の急な変化が無くなり、アーチファクトの発生を減少させることができる。
【００２７】
このように、第２実施形態の天板１０は、天板１０の先端部とヘッドレスト３０の先端部とを円弧状に形成し、かつ、先端部を傾斜面としたので、Ｘ線吸収率の急な変化により生じるアーチファクトを減少させることができる。
【００２８】
尚、第２実施形態の天板１０では、天板１０とヘッドレスト３０の先端部を円弧状に形成し、かつ、この先端部を傾斜面としているが、先端部に限らず、後端部や側面部を円弧状に形成し、かつ、この端部を傾斜面とするようにしても良い。
【００２９】
また、第１実施形態と第２実施形態の天板１０では、先端部を円弧状に形成し、かつ、この先端部を傾斜面としているが、円弧状もしくは傾斜面のいずれか一方のみ形成するようにしても良い。
【００３０】
さらに、第１実施形態と第２実施形態の天板１０は、断面弓状であるが、本発明はこれに限定されること無く、平板状でも良い。
【００３２】
【発明の効果】
以上説明したように本発明は、天板の先端部でのＸ線吸収率の急な変化により生じるアーチファクトの発生を減少することができる。
【図面の簡単な説明】
【図１】本発明に係る医用機器用天板の第１実施形態である医用機器天板を有する寝台を示した斜視図である。
【図２】図１に示した天板の平面図（ａ）と、Ａ−Ａ断面図（ｂ）と、Ｂ−Ｂ断面図である。
【図３】天板の先端部にヘッドレストを備えるの例を示した側面図である。
【図４】天板を有する寝台の従来例を示した側面図である。
【図５】図４に示した天板の平面図（ａ）と、Ａ−Ａ断面図（ｂ）である。
【図６】被検体頭部のＣＴ像状に生じたホワイトニング等のアーチファクトを示した図である。
【図７】先端部にヘッドレストを備える従来の天板を示した側面図である。
【図８】被検体を天板の後端方向にずらした場合の天板と被検体の位置関係を示す側面図である。
【符号の説明】
１０  天板
１１  発泡ウレタン部
１３  カーボン部
２０  寝台本体
３０  ヘッドレスト
【図１】
0004024323.tif 000002
【図２】
0004024323.tif 000003
【図３】
0004024323.tif 000004
【図４】
0004024323.tif 000005
【図５】
0004024323.tif 000006
【図６】
0004024323.tif 000007
【図７】
0004024323.tif 000008
【図８】
0004024323.tif 000009